(57)【要約】【課題】コア材料や寸法誤差等のために、完成したトランスの特性にバラツキが発生する。コアの加工精度を高めたり寸法の異なる数種類のコアを用意するなどして対応しているが、コスト高になる問題があった。【解決手段】閉磁路を形成する一対のコア５０、６０が、それぞれのコアに設けられた中央脚５３、６２と、少なくとも一方のコアの両端部に設けられた二つの外脚５１、５２とを有し、中央脚５３、６２同士が空隙を介して互いに対向するとともに、一方の中央脚５３の周りに一次巻線３０を巻回し、他方の中央脚６２の周りに二次巻線４０を巻回したインバータトランスにおいて、非正円形の径大部６２ａを一方の中央脚６２の先端に形成し、この径大部６２ａに対向する他方の中央脚５３の横断面の形状を非正円形とする。【選択図】    図１
2004273711.tif 000002
【特許請求の範囲】
【請求項１】
互いに突き合わされて閉磁路を形成する一対のコアが、それぞれのコアに設けられた中央脚と、少なくとも一方のコアの両端部に設けられた二つの外脚とを有し、中央脚同士が空隙を介して互いに対向するとともに、一方の中央脚の周りに一次巻線を巻回し、他方の中央脚の周りに二次巻線を巻回したインバータトランスにおいて、側方に張り出した非正円形の径大部（６２ａ）を一方の中央脚（６２）の先端に形成し、該径大部（６２ａ）に対向する他方の中央脚（５３）の横断面形状を非正円形としたことを特徴とするインバータトランス。
【請求項２】
横断面が非正円形の中央脚（５３）を有する一方のコア（５０）が、複数の部材を結合して組立てられ、結合前の中央脚（５３）が回転可能であり、中央脚（５３）を回転させたとき中央脚（５３）と他方のコア（６０）の径大部（６２ａ）との対向面積が変化する請求項１のインバータトランス。
【請求項３】
非正円形の径大部（６２ａ）を中央脚（６２）の先端に形成した他方のコア（６０）が複数の部材を結合して組立てられている請求項２のインバータトランス。
【発明の詳細な説明】
【０００１】
【発明の属する技術分野】
本発明は、放電管を点灯するインバータ装置に用いられるインバータトランスに係り、特に磁気漏れ型のインバータトランスの構造に関するものである。
【０００２】
【従来の技術】
従来の磁気漏れ型のインバータトランスとしては、例えば特許文献１に開示されたものがある。このトランスは、図１０に示すように突き合わせた二つのＥ型コア１、２を備え、空隙を介して対向する一方の中央脚１ａに一次巻線３を巻回し、他方の中央脚２ａに二次巻線４を巻回したものである。そして、中央脚２ａの先端に固定したＴ形コア５の突起５ａ、５ｂで側脚２ｂ、２ｃへの磁気分路を形成することによって、一次巻線３と二次巻線４の結合を疎にして漏れインダクタンスを発生させている。
【０００３】
【特許文献１】特開平７−１７６４３９号公報
【０００４】
【発明が解決しようとする課題】
インバータ装置は、それぞれの仕様に応じて放電管の点灯開始時の開放電圧と点灯後の管電流の値が決められている。磁気漏れ型のインバータトランスを用いる場合、所望の漏れインダクタンスが得られるコアの寸法形状としたり、一次巻線と二次巻線との巻数比を選ぶことにより、所定の開放電圧と管電流が得られるようにトランスを設計している。しかしコア材料や寸法誤差等のために、完成したトランスの特性にはバラツキが発生する。このため、コアの加工精度を高めたり寸法の異なる数種類のコアを用意するなどして対応しているが、コスト高になる問題があった。
【０００５】
【課題を解決するための手段】
本発明は、一次巻線と二次巻線との結合度をインバータトランスの組立工程で微調整できるように構成して、点灯開始電圧と管電流の値を所定の値に合わせられるようにしたものである。
すなわち本発明は、互いに突き合わされて閉磁路を形成する一対のコアが、それぞれのコアに設けられた中央脚と、少なくとも一方のコアの両端部に設けられた二つの外脚とを有し、中央脚同士が空隙を介して互いに対向するとともに、一方の中央脚の周りに一次巻線を巻回し、他方の中央脚の周りに二次巻線を巻回したインバータトランスにおいて、側方に張り出した非正円形の径大部６２ａを一方の中央脚６２の先端に形成し、この径大部６２ａに対向する他方の中央脚５３の横断面の形状を非正円形とした構成を特徴とする。
【０００６】
【実施例】
図１は本発明のインバータトランスの一実施例を示す側面断面図、図２はその平面図である。絶縁性の上ボビン１０は、図３に示すように複数の端子１５を側面に取付けたベース部１１と、ベース部１１に一体成形された鍔付きの巻軸１２を備えている。巻軸１２は上下に貫通する孔１３を有する円筒形をしている。
【０００７】
下ボビン２０も、図４に示すように複数の端子２５を側面に取付けたベース部２１と、ベース部２１に一体成形された鍔付きの巻軸２２を備えている。巻軸２２は上下に貫通する孔２３を有する筒形である。上ボビン１０の巻軸１２には一次巻線３０を巻回し、図示しないそのリード線を端子１５に接続してある。同様に下ボビン２０の巻軸２２には二次巻線４０を巻回し、そのリード線を端子２５に接続してある。
【０００８】
磁性体からなる上コア５０と下コア６０が互いに突き合わされて閉磁路を形成している。図５に示すように、上コア５０は、全体としては二つの外脚５１、５２と中央脚５３を有する断面Ｅ形をしている。図６に分解して示すように、上コア５０はＵ形の第１の部材５０ＡとＴ形の第２の部材５０Ｂを組み合わせて一体化してある。
【０００９】
Ｕ形の第１の部材５０Ａは平面部５４の両端に外脚５１、５２を有し、平面部５４の中央に貫通孔５５が設けてある。側面から見てＴ形をした第２の部材５０Ｂは、平板状の円形部５６の中央から、横断面形状が長円形の中央脚５３が下方に突出している。貫通孔５５の中に円形部５６を位置させ、磁性体粉末を混入した接着剤５７で第１の部材５０Ａと第２の部材５０Ｂを互いに接合して上コア５０が形成されている。
【００１０】
下コア６０は、図７に示すように全体としては平板部６１の中央に上方に突出する中央脚６２を設けた形をしている。中央脚６２の上端には、側方に張り出した長円形の径大部６２ａを一体に形成してある。径大部６２ａは、その一部に中央脚６２の下部よりも大きな径の部分を有していればよい。下コア６０は、図８に示すような別個に成形した平板部６１と中央脚６２の二つの部材を一体化したもので、平板部６１のほぼ中央に設けた孔６３に、中央脚６２の径小部６２ｂを嵌合してある。６４は二次巻線４０のリード線を通過させるための切欠部である。
【００１１】
図１に示すように、上コア５０の中央脚５３は巻軸１２の孔１３の中に挿入してある。孔１３の直径は、長円形の中央脚５３を中で回転できる大きさになされている。下コア６０は、平板部６１と径大部６２ａとの間に下ボビン２０を挟み且つ中央脚６２を巻軸１２の内部に挿入し、中央脚６２の径小部６２ｂを孔６３の中に嵌合して、平板部６１と中央脚６２を互いに固定してある。コア５０の中央脚５３の下端面とコア６０の径大部６２ａは空隙を介して対向している。横に張り出した径大部６２ａによって、磁束の一部が外脚５１、５２側に漏れる磁気分路が形成されている。
【００１２】
次に、このインバータトランスの組立方法について説明する。まず、巻軸２２に二次巻線４０を巻回してリード線を端子２５に接続した下ボビン２０と、巻軸１２に一次巻線３０を巻回しリード線を端子１５に接続した上ボビン１０を用意する。そして、この下ボビン２０を下コア６０の平板部６１の上に載置した状態で、中央脚６２を孔２３に挿入し、さらに径小部６２ｂを孔６３の中に嵌合して、平板部６１と中央脚６２を互いに固定する。
【００１３】
さらに、上ボビン１０と、上コア５０のＵ形の第１の部材５０Ａ（図６）を、下コア６０に固定する。次いで、第２の部材５０Ｂの中央脚５３を巻軸１２の孔１３の中に挿入して、第２の部材５０Ｂを水平方向に回転させる。第２の部材５０Ｂを回転すると中央脚５３が回転し、図９に示すように横断面が長円形の中央脚５３と長円形の径大部６２ａとの対向面積が変わる。この対向面積の大きさに応じて磁気抵抗が変化するので、第２の部材５０Ｂを回転することにより一次巻線３０と二次巻線４０との結合度を調整できる。
【００１４】
インバータトランスの端子をインバータ回路に接続し、特性を計測しながら第２の部材５０Ｂを回転する。そして、所望の結合度とインダクタンスが得られた位置で第２の部材５０Ｂの回転を停止し、第１の部材５０Ａと第２の部材５０Ｂを接着剤５７などで固定する。以上でインバータトランスの組み立てが完了する。
【００１５】
なお、中央脚５３及び径大部６２ａの対向面の形状は長円形や楕円形に限らず、非円形であればよい。また、外脚５１、５２は下コア６０側に一体成形してもよい。一次巻線３０と二次巻線４０は互いの位置を入れ換えてもよく、絶縁性のコアを使用した場合はボビン１０、２０が不要である。
【００１６】
【発明の効果】
本発明によれば、一次巻線と二次巻線との結合度を微調整することでコアの寸法誤差等のトランス部品のバラツキを吸収でき、所望の結合度および漏れインダクタンスを有する、特性の安定したインバータトランスを容易に得ることができる。
【図面の簡単な説明】
【図１】本発明のインバータトランスの一実施例を示す側面断面図
【図２】同トランスの平面図
【図３】第１のボビンの正面断面図
【図４】第２のボビンの正面断面図
【図５】第１のコアを下方から見た一部切欠斜視図
【図６】第１のコアを下方から見た分解斜視図
【図７】第２のコアの斜視図
【図８】第２のコアの分解斜視図
【図９】中央脚と径大部との関係を示す平面図
【図１０】インバータトランスの従来例を示す正面断面図
【符号の説明】
３０    一次巻線
４０    二次巻線
５０    上コア
５３    中央脚
６０    下コア
６２    中央脚
６２ａ  径大部
【図１】
2004273711.tif 000003
【図２】
2004273711.tif 000004
【図３】
2004273711.tif 000005
【図４】
2004273711.tif 000006
【図５】
2004273711.tif 000007
【図６】
2004273711.tif 000008
【図７】
2004273711.tif 000009
【図８】
2004273711.tif 000010
【図９】
2004273711.tif 000011
【図１０】
2004273711.tif 000012